(57)【特許請求の範囲】
【請求項１】
複数の開口装置をサポートし、それぞれの開口装置が包装材料シートと接合するための基部要素と、前記の基部要素の開口を開放容易に閉じるための蓋体要素とから成っている、連続的なウェブであって、
前記の開口装置のそれぞれの前記蓋体要素が上部部分を有し、この上部部分が、前記のウェブ上の前記の開口装置のおのおのをサポートする連続的なウェブと接合していることを特徴とする、複数の開口装置をサポートする連続的なウェブ。
【請求項２】
前記のウェブが、前記の開口装置のそれぞれに対して、前記の蓋体要素の上部部分の内側に形成された貫通孔を覆うカバー部分を含み、各蓋体要素の上部部分が、前記のウェブと接合した実質的な平面の表面部分から成っている、請求項１による、複数の開口装置をサポートする連続的なウェブ。
【請求項３】
前記のウェブが、複数のいじり証拠部材を形成し、前記の複数のいじり証拠部材の一が、前記の上部部分のそれぞれに接合されるウェブの部分に隣接し一体化されるように成形されている、請求項２による、複数の開口装置をサポートする連続的なウェブ。
【請求項４】
前記のウェブが、前記の蓋体要素だけと接合される、請求項１，２又は３による、複数の開口装置をサポートする連続的なウェブ。
【請求項５】
前記のウェブが、ロールに巻き取られている、請求項１，２、３又は４による、複数の開口装置をサポートする連続的なウェブ。
【請求項６】
前記の基部要素と蓋体要素の両方が、包装材料シートと接合するための連結部分から成り、前記の基部要素と蓋体要素との前記の連結部分が、すべて実質的に単一な平面に配置されている、請求項１による、複数の開口装置をサポートする連続的なウェブ。
【請求項７】
前記のウェブが、第１のサポート部分と第２の相互接続部分とからなり、前記の第１のサポート部分おのおのが、個々の蓋体要素の個々の上部部分をサポートし、前記の第２の相互接続部分が、前記の第１のサポート部分間に位置し、複数の開口装置を相互に切り離すために第２の相互接続部分を切断することを容易にする穴要素を有する、請求項１による、複数の開口装置をサポートする連続的なウェブ。。
【請求項８】
前記のウェブが、積層した包装材料のウェブにより構成されている、請求項１，２、３、４、５又は７による、複数の開口装置をサポートする連続的なウェブ。
【請求項９】
いじり証拠を包装からはずすことに関して、前記のウェブを構成する材料の剥離防止の手段を有する、請求項３乃至８による、複数の開口装置をサポートする連続的なウェブ。
【請求項１０】
以下の工程を含む、複数の開口装置をサポートする連続的なウェブの製造法。
合成プラスチック材料射出成形ステーションに、連続的なウェブに供給する供給工程；
射出成形ステーションで、ウェブに沿って連続して配置された複数の開口装置を成形し、蓋体要素の上部部分がウェブと接合するように、おのおの開口装置が、基部要素と蓋体要素とからなる成形工程；
【請求項１１】
成形工程において、蓋体要素の上部部分の中の貫通孔を成形し、上部部分の実質的に平面的な表面部分をウェブに接合し、基部要素に開口を成形し、上部部分から延びかつ基部要素の開口を閉じるために基部要素と接合している蓋体要素のヒンジ部分を成形する、請求項１０による、複数の開口装置をサポートする連続的なウェブの製造法。
【請求項１２】
成形工程が、蓋体要素だけをウェブと接合し、ウェブをロールに巻くことを含む、請求項１０又は１１による、複数の開口装置をサポートする連続的なウェブの製造法。
【請求項１３】
供給工程が、合成プラスチック材料射出成形ステーションを通って包装材料のウェブに供給することを含む、請求項１０による、複数の開口装置をサポートする連続的なウェブの製造法。
【請求項１４】
請求項１乃至９による複数の開口装置をサポートする連続的なウェブから切り離された開口装置を含む、注ぎ可能な食料製品のための包装体。
【請求項１５】
請求項１１乃至１４による製造法により得られた複数の開口装置をサポートする連続的なウェブから切り離された開口装置を含む、注ぎ可能な食料製品のための包装体。
【発明の詳細な説明】
【０００１】
【産業上の利用分野】
この発明は、開口装置に関し、特に、注ぎ可能な食料製品を包装するために使われたタイプの包装システム用の開口装置に関し、また、これらの開口装置を製造する方法に関する。特に、この発明は、ウェブ材料上にサポートされた複数の開口装置に関する。
【０００２】
【従来の技術】
例えば、ジュース、水、乳、ワイン、およびスープなどの食物の製品を含むようにに適応するために、包装シート材料から包装容器を成形すると知られている。包装シート材料は、典型的に、多層化された積層品であり、例えば、紙などの繊維質層とそのどちらの側面にポリエチレンで被覆されている。無菌の包装体（パッケージ）においては、アルミニウム箔層などのバリヤー層が、ガス（酸素）の侵入に対して障壁として付加されて、アルミニウム層はプラスチック（ポリエチレン）層により順次被覆される。シート材料は、ブランクという形でも典型的に提供され、このブランクは、マンドレルにおいて成形されて、充填されて、密閉され、若しくは、代わりに、ウェブという形で提供される。このウェブに折れ線が形成され、連続的なチューブを成形するために長手方向にで密閉され、チューブには中身製品によって充填されて、枕状のパッケージを成形するために、規則的に一定間隔を置いて封止されて、密閉される。このパッケージは、機械的に折りたたまれて成形され、例えば、テトラブリックアセプチック（登録商標）とテトラブリック（登録商標）として知られているタイプの平行六面体パッケージに成形される。
【０００３】
様々なタイプの開口装置は、製品を分配するためのこれらの包装容器に適用される。典型的には、予め成形されたプラスチック材料の開口装置が、包装容器の壁部分において設けられた開口に、その壁部分に適用される。開口は、シールを維持することについて十分であり、しかし、ユーザーにより容易に開放し引き裂かれうる、壁部分に設けられたパーフォレションが用いられており、または、開口は、壁部分を貫通して完全に穴をあけられ、ユーザーによって開封可能なアルミニウムプルタブにより被覆された穴でもある。開口装置は、例えば、接着剤または接触プラスチック材料表面の加熱によって、壁部分に取り付けられた外周状基部部分を有し、開口および、基部部分にヒンジを付けらた蓋体部分を外周に取り囲み、閉じられたポジションによって開口を覆う。蓋体部分は、包装容器壁部分の製品分配用開口へのアクセスを提供するために、開放なポジションに回転できる。
【０００４】
これらの開口装置は、包装容器製造ラインにおいて包装容器に一般に取り付けられる。このラインにおいて、典型的に、例えば、次の工程を含んでいる。ロールからの包装材料のウェブの巻き出し、滅菌剤、例えば過酸化水素を含んでいる滅菌槽を通ってウェブに供給し、滅菌剤を取り去り、かつ殺菌された包装材料を、無菌の環境に維持する手段に供給し、包装容器を成形し、製品を充填する成形・充填部材に通し、正しく成形され充填され密封された包装体を製造するために、充填された容器を密閉するための密封装置と、互いにパッケージを分離する切断手段とに供給する。開口装置は、製造ラインの最後で充填され密閉されたパッケージの開口に、通常取り付けられる。
【０００５】
典型的には、これらの開口装置は、それらの側面で設けられた破断可能なブリッジにより相互に接続される複数の開口装置の格子類似の1つシート状に製造される。そのような格子類似のシートは、同じ出願人により出願された公開欧州特許出願EP-A1-667225において記述される。プラスチック材料でつくられた開口装置の格子類似のシートを取るために、アプリケータ装置が用いられ、シートを、相互に接続された開口装置の列に分離し、更に、単一な開口装置に一連の列が分離する。この開口装置は、次いで、積層されプリントされた包装材料でつくられた個々の充填され密閉されたパッケージに１つずつ付けれる。
【０００６】
【発明が解決しようとする課題】
これらのタイプの開口装置を製造する従来の方法およびそのような開口装置をパッケージ開口に取り付けている既知方法は良好にうまくいくけれども、より一層の改良に必要がある。特に、より一体化された方法でパッケージにその特有の構造特性のため設けることができ、経済的に有利な製造に影響する開口装置を提供することが望ましい。
【０００７】
発明の目的は、開口装置の製造および、開口装置のパッケージ開口へのその後の取り付けをより効率的かつ費用効率的にする、複数の開口装置をサポートするウェブを提供することである。
【０００８】
発明の別の目的は、審美的な特徴が高められている複数の開口装置をサポートするウェブを提供することであり、それは、製造される最終パッケージの個々のタイプの審美的な品質に従って注文生産できて、極めて信頼できて、また製造される最終パッケージの個々のタイプの審美的な品質に従って注文生産できるいじり証拠をそれぞれに提供することである。
【０００９】
発明のより一層の目的は、開口装置、いじり証拠、およびパッケージの無傷性の程度を増大させて、要求に従って、注文生産された態様において、開口装置、いじり証拠、およびパッケージを装飾することを可能にする、複数の開口装置をサポートするウェブを提供することである。
【００１０】
【課題を解決するための手段】
上記の目的を考慮して、発明の一の好まれた態様によれば、複数の開口装置をサポートし、それぞれの開口装置が包装材料シートと接合するための基部要素と、前記の基部要素の開口を開放容易に閉じるための蓋体要素とから成っている、連続的なウェブであって、前記の開口装置のそれぞれの前記蓋体要素が上部部分を有し、この上部部分が、前記のウェブ上の前記の開口装置のおのおのをサポートする連続的なウェブと接合していることを特徴とする、複数の開口装置をサポートする連続的なウェブが提供される。
【００１１】
ウェブは、好ましくは、ロールに巻かれたシートの積層包装材料とすることができる。ウェブは、結局個々の開口装置が取り付けられうるパッケージを構成すると同様に、包装材料シートのタイプと実質的に同じであるとすることが出来る。このように、既に知られている様に、繊維質に基づく材料の全体の内容を増やし、プラスチックの全体の内容を減らす。しかし、プラスチックなどの材料または、チョーク添加ポリプロピレンなどの材料をウェブ材料として用いることが出来る。
【００１２】
従来の製造の方法に存在するような、開口装置の側面を相互に溶着する必要がなく、開口装置が連続的なウェブの上に容易に成形できるので、複数の開口装置の製造は、この発明に従って簡素化される。ウェブは、好ましくは、複数のいじり証拠部材を規定し、そのおのおのは、個々の開口装置の上部部分と接合するウェブの部分に隣接し一体化するように特定する。従って、開口装置とパッケージの間のより大きい合体性を設定し、開口装置及び／または個々の要求に応じたいじり証拠部材をカスタマイズする可能性を提供するために、何らかの適切な方法において、開口装置といじり証拠を、印刷しおよび／または形状化することができる。例えば、ウェブは、好ましくは、平らであるけれども、基部要素と蓋体要素を成形するためにプラスチック材料を射出する時に、成型物に浮き上がるか、または形状化することもできる。代わりに、いわゆる、過成形技術（over-moulding）を適用することが出来、その結果、所望により形状化された窓状開口をウェブが有し、成形型の一面から反対面に窓状開口を介していくつかのプラスチックを流すことを可能にし、形状化された装飾の要素を成形する。
【００１３】
ロールにより包まれる可能性があることによって、複数の開口装置をサポートする連続的なウェブは、複数の開口装置の輸送および取り扱いに能率的である。よりさらに、個々の開口装置を包装材料のシートの部分へ取り付けることを簡素化する。なぜなら、連続的なウェブは、シート部分に付けられる開口装置を取り扱い、分離する効果的な要素を提供する。
【００１４】
発明の別の態様に従って、以下の工程から成っていることを特徴とする複数の開口装置をサポートする連続的なウェブを製造している方法が提供される：
合成プラスチック材料射出成形ステーションに、連続的なウェブに供給する供給工程；
射出成形ステーションで、ウェブに沿って連続して配置された複数の開口装置を成形し、蓋体要素の上部部分がウェブと接合するように、おのおのの開口装置が、基部要素と蓋体要素とからなる成形工程；
【００１５】
この発明の特有の技術特徴と利点は、いくつかの好まれた態様の以下の詳細な説明からこの技術分野の当業者により明白になり、添付図面において、部品ように参照数字を非制限的に示すあるように、非制限的例示としてのみ記述されて、図示される。
【００１６】
【発明の実施の形態】
最初に、図１と２を参照して、ウェブ２の縦方向に伸びた方向に沿って連続して配置された複数の開口装置４をサポートする連続的なウェブ２の部分がそこで示されている。個々の開口装置４には、包装材料シートと接合するようにした基部要素６と、曲がった溝の形でピボット連結１０によって基部要素６とピボットで関係している蓋体要素８とを備えている。示された特有の態様において、ウェブ２は蓋体要素８ともっぱら接合し、すなわち、ウェブ２は基部要素６と接合しない。基部要素６は、蓋体要素８と、下で詳細にもっと記述される閉じられた方法でかみ合うように、ピボット連結１０の周りで回転できる。
【００１７】
基部要素６には、周辺の基部部分１２と、基部部分１２から突出している周辺のフランジ要素１４を含み、それらの両方は、開口又は基部要素6の貫通孔１６を周辺的に取り囲っている。フランジ要素１４は、基部要素１２の一端で、注ぎエッジ１８を規定している。基部要素６の基部部分１２は、包装材料シート部分における開口の周りの周辺で、包装材料シートの部分に直接に接合するように用いられ、貫通孔１６は、包装材料シート部分の開口と一致するように配置される。
【００１８】
蓋体要素８は、上部部分２０と、上部部分２０からウェブ２の反対側に延びている底二重のフランジような部分２２とを含む。蓋体要素８が基部要素６の貫通の孔１６を閉じさせるように、基部要素が、その閉じられたポジションに回転する時には、底部分２２は、基部要素６の周辺のフランジ要素１４と嵌合するように用いられる。特に、底部分２２の外のフランジ部分２２ａは、取り外し可能にロックされたポジションで相互に閉じられた基部要素６と蓋体要素８を維持し、そこで液密な密封嵌合状態で、周辺のフランジ要素１４を伸縮自在にかみ合わせるように形作られている。底部分２２は、包装材料シート部分に直接取り付けられるように用いられる内側のフランジ部分２２ｂも含む。
【００１９】
上部部分２０は、外のフランジ部分２２ａの内側に対応するように配置された貫通孔２４を取り囲んでいる周辺のリングの構成を持っている。内側のフランジ部分２２ｂは、周辺の上部部分２０と相互接続された十字リブ２６によってサポートされる。蓋体要素８の周辺の上部部分２０は、ウェブ２が接合されている実質的な平面の表面を持っている。ウェブ２が、周辺の上部部分２０を接続し、その結果、ウェブ２の第１のサポート部分２ａが、蓋体要素８の上部部分２０と対応するようにサポートして配置され、ウェブ２の第２の相互接続部分２ｂが、第１の部分２ａの間で相互接続される。貫通孔要素２ｃは、また、以下により詳細で説明されるように、連続的なウェブ２から開口装置４を引き離すことを容易にするために、相互接続部分２ｂを通って延びて、提供される。従って、ウェブ２の第１のサポート部分２ａは、蓋体要素８の上部部分２０をサポートし、また、主要なカバー部分を成形するために実質的に貫通孔２４を覆う。その結果、個々の開口装置４の蓋体要素８の形成のために使用する材料をより少なくする。
【００２０】
図３において、引き出され、合成プラスチック材料射出成形ステーション３４を通って供給方向３２に断続的に操作される連続的なウェブ２のリール３０がそこで示される。成型工具３４ａおよび３４ｂは、剥離可能な成型ポジションに可動である。そこで、一連のキャビティ３４ｃは、一連の開口装置4を成形するために適当な形状を持っており、ウェブ２の一の表面に成形される。すると、熱せられた合成プラスチック材料は、ウェブ２に取り付けられた一連の開口装置4のを成形するために、キャビティ３４ｃに注入される。ウェブ２は、好ましくは、外側に合成プラスチック材料コーティングを持つ紙質ウェブのシートである。熱せられた合成プラスチック材料がキャビティ３４ｃに注入される時には、成形された開口装置は、個々の開口装置４のために、蓋体要素８の上部部分２０をウェブ２の第１のサポート部分２ａに取り付けるためのウェブ２の外側の被覆層で結合する。ウェブ２は、最終的に個々の開口装置４が接合するかもしれない同じ包装シート材料により構成される。例えば、ウェブ２が無菌のためのアルミニウム層を含むかもしれない。ウェブ２は、ウェブ２を操作するための装置が特に精巧化される必要はなく、ウェブ２上に一連の開口装置４が容易に、効率的に直接成形することを促進し、開口装置４の形成において、効果的な要素を構成している。
従来製造法に起こるような、そのような開口装置４が相互に成形されて、お互いに接合される必要はない。ウェブ２は、開口装置をキャビティ３４ｃから放すことを促進する。なぜなら、ウェブ２は、成型工具３４ａと３４ｃが放される際に、開口装置４をつかみ、または保持するための手段を自動的に形成するからである。さらに、開口装置４の蓋体要素８は、貫通孔２４の存在のため少ない量の材料で成形される。この貫通孔は、代わりに、ウェブ２のより費用効率の高い第１のサポート部分２ａにより覆われる。成型ステーションを通ってウェブに供給する実際において、成型ステーションに位置する成型工具は、新しく成形された開口装置をリリースし、ウェブの進行を許すために、わずかな距離だけ離れている必要がある。ウェブにおいて、連続した一連の開口装置を成形するための再封止の前にである。成型工具のこの限定された付加運動によりシステムの高速な操作が許される。
【００２１】
一連の開口装置４が形成され、ウェブ２に取り付けられる後に、そのようなウェブ２は、折り重ねステーション３６を通って操作される。そのステーションでは、基部要素６は、蓋体要素８についてのピボット連結１０について回転し、閉じられた嵌合したポジションで配置される。そのポジションで、基部要素６の周辺のフランジ要素１４は、蓋体要素８の底部分２２と嵌合する。ウェブ２は、次いで、、閉じられたポジションで形成されウェブ２によりサポートされた複数の開口装置４のリール３８に巻かれる。リール３８は、引き続き、包装材料のシート部分に、複数の開口装置４を取り付けることに使用のために効率的に輸送でき、扱える。
【００２２】
図４は、リール３８が、複数の開口装置４をサポートしているウェブ２を引き出し方向４０に動かし、かつ、引き出し操作を説明する。包装材料のシートの部分に取り付けられるように、開口装置４を単一な開口装置の複数個に分離するするためのステーションに、引き出されたウェブ２を、次に供給することもできる。図５は、おのおのが接近した配置である複数の開口装置４をサポートするウェブ２を説明する。複数の開口装置４を相互に切り離すために相互接続部分２ｂにおいてウェブ２を切るために、切断パンチ工具４２が用いられる。示された特有の態様において、切断具４２は、開口装置４が接合される場所と反対側のウェブ２の側面で上記のウェブ２から作動する。それは、単一なおよび別々な複数の開口装置４を設けるするために、上部部分１０の外の縁に実質的に対応する相互接続部分２ｂにおいて動作する。その１つが、図６において示される。複数の開口装置４の取り扱いと分離は、ウェブ２により効率的に促進される。ウェブは、切り離された開口装置４を得るための切断ステーションを通って容易に取り扱われて、動かされる。次いで、切り離された開口装置４は、1つシートの包装材料の個々の部分に効率的に付けられうる。
【００２３】
図７は、シート部分４４において設けられた開口要素４６に対応する包装材料シート部分４４に、切り離された開口装置４を取り付ける1つの好ましい方法を説明する。孔要素４６は、シート部分４４の残存する部分の一部を間に延びさせ、また成形している薄い無菌用の層４４ａ（例えば、アルミニウム層を含む）として成形できる。そのシートは、例えば、紙キャリヤー層とプラスチック材料コーティング層を更に含む。無菌の層４４ａは、パーホレーションを有することができ、なお無菌シールを提供する間は、弱められた裂けるラインを備える。
【００２４】
基部要素６の周辺の基部部分１２及び、蓋体要素８の内側のフランジ部分２２ｂの最下部は、開口装置４の連結部分を構成している。開口装置は、合成プラスチック材料４６でつくられ、材料は、熱せられて、シート部分４４と接触して置かれる時に、開口装置をシート部分４に取り付けるさせる内側のフランジ部分２２ｂは、蓋体要素８が回転する時、基部要素６について開き、無菌の層の弱められた裂けるラインが自動的に開口されるように、無菌の層４４ａに、特に、接合されている。図７において見られるように、開口装置の連結部分すべては、実質的に単一な平面において配置される。
【００２５】
この発明のより一層の利点は、ウェブ部分２ａにおいて設けられたプリントされた層という形で、ウェブ部分２ａが蓋体要素８を被覆するので、そのようなウェブ部分は審美的なおよび／または情報の目的のためのグラフィックの要素を容易に設けるできるという事実にある。すでに言及されているように、ウェブ部分２ａは、蓋体要素8と関連した材料費の節約を提供する。また、いずれにしても、蓋体要素の上部部分が固体の形状（すなわち、孔２４なしで）において作られる必要があったとしても、ウェブ２にサポートされた複数の開口装置４の製造および取り扱いの効率の利点がいまだに得られている。
【００２６】
ウェブ２は、部分２ａから出っ張っているタブまたはフラップを更に提供することができる。そして、いじり証拠タブまたはフラップを提供するために、部分をシートに開口装置４を取り付けられる時、そのようなタブまたはフラップは、部分４４をシートに容易に取り付けられうる。ウェブ２はそれ自体、ピボット連結１０への代替として、基部要素６を蓋体要素８とピボットで関係させる手段を提供できると予想される。それからこの態様において、開口装置を、ウェブ上に、基部と蓋体要素の間の直接的なプラスチック材料が連結しないように、成型してもよい。しかし、むしろ、ウェブは、蓋体要素と基部要素の部分と、蓋体と基部要素の間のポジションでウェブにおいて成形されるピボット手段でもって、接合されてもよい。この様にして、また、ウェブと基部要素の部分が少なくとも関係している連続的なウェブの横切る方向に沿って延びて、成型ステーションで、連続した開口の装置の１つ以上の列を容易に成形できることが、さらに、予想される。
【００２７】
図８に関連して、開口装置１００がそこで示される。そこでは、蓋体要素８の上部部分２０を、包装材料のウェブから作り、その包装材料を、開口装置が添付されることを意図しているパッケージ５０を構成している包装材料と同様か、または同一である。包装材料のウェブ２は、図８において示された様に、個々の蓋体要素８と接合されるウェブ２の部分と隣接しかつ一体化したにいじり証拠部材５１を提供するために容易に使用できる。証印５２は、いじり証拠部材５１において提供できる。いじり証拠部材５１は、好ましくは、パーホレーション５４線により定められた部分５３を設けられ、それは、パッケージ５０に付されて、そこから、パーホレーション５４線に沿って、いじり証拠部材を引き裂くために、タブ５５を引くことによってリリースされる。蓋体要素を構成している包装材料の縁は、形状化された装飾の縁６０として示されて、いじり証拠部材５１の縁は、線型の縁６１として示される。この発明に従って、開口装置を設けるすることによって要求されるようにこれらの縁が有利に形状化されうることは理解される。
【００２８】
代わりに、部分５３は、パッケージに、例えば、いじり証拠部材に熱をかけ、パッケージの上にそれを押すか、または粘着性のホットメルトを付けることにより、取り外し可能に添付し、タブ５５を引くことによって剥離することができる。いじり証拠部材を構成している包装材料の底層は、タブ５５を引いてもまだパッケージ５０に接着し続けて、材料の剥離は起こるかもしれない。
【００２９】
蓋体２０の上部を構成しているウェブ部分２に広がっている包装材料の剥離を防止するために、いじり証拠部材をパッケージから切り離す時に、ウェブ2を構成している材料の剥離を防止するための手段を設ける。剥離を防止するための手段は、剥離ブレーカーまたはブリッジ部材７０により、図９において示された態様において、構成されている。この方法において、パッケージ５０からいじり証拠部材５１を取り外す際に起こる材料２のどのような剥離も、いじり証拠部材自身に限定されて、しかも、開口装置のキャップ部材に広がることをブリッジ部材７０が防止する。図１０と１１は、ブリッジ部材７０の代わりに使われうるスタッド様部材７１と７２の使用を示す。そのようなスタッド部材７１の１つ以上が、ウェブ２に取り付けられた蓋体部分を構成している射出成形プラスチック材料により設けられて、仕様に応じて形状化される。成型内の紙縁２ａのポジションをコントロールするために、その方法と成型工具を使用する。それは、１９９６年１０月３１日に同じ出願人により出願されたイタリア特許出願No．MI96A002271において記述されたものと同様である図１２−１４はスタッド部材のより一層の態様を示す。それらは、異なる構造配置および異なる審美的な構成を設けるために、スタッドを構成しているウェブ２と射出成型されたプラスチック材料の間の相互作用がどのように使用できるかを説明する。その縁が、例えば図８において示されたブリッジ７０と同様な弓状の平面構成を有し、また隣接したフラップ部分２ｂを持つことができる。フラップ部分は、プラスチック材料を射出するとすぐに、成型内でウェブ２の平面から向こうに移される。図１３は、予備カット片２ｃのウェブ２を含むスタッド部材７４を示す。予備カット片は、所望の形状を持ち、プラスチック材料の射出成形の間にウェブ２の平面から向こうにスタッド７４の上部の表面に移される。図１４は、スタッド７５の態様を説明する。射出成型プラスチックの圧力が、スタッド７５の外部の表面でアンダーカット２ｄを特定するための成型工具のアンダーカット部分にウェブ２を構成する材料を押し付けるために、使用される。
【００３０】
この発明は、従って、添付の特許請求の範囲の本文を逸脱せずに修正できる。
【図面の簡単な説明】
【図１】この発明の好まれた態様による、複数の開口装置をサポートする連続的なウェブの部分的の概略底平面図である。
【図２】図１に示す配列のII−II線から見た概略断面側面図である。
【図３】この発明の好まれた態様による、図１と２の連続的なウェブと開口装置を製造する方法を実施するための態様を示す概略図である。
【図４】前記の図面に示す開口装置をサポートしている連続的なウェブをロールから巻き出す様子を説明する概略図である。
【図５】図１及び２についての図４に示す複数の開口装置をサポートする連続的なウェブが巻き出された概略底平面図である。
【図６】図５のウェブから切り離された単一な開口装置の概略底平面図外観である。
【図７】図６のVII−VII線から見た、単一な開口装置、および包装材料シートの部分にその付けるを示すことの断面の概略側面図である。
【図８】この発明による開口装置が設けられた注ぎ可能な食料製品のためのパッケージの斜視図であり、蓋体部分とパッケージの開口時のいじり証拠とを構成している材料剥離防止用ブリッジ部材といじり証拠とを有している。
【図９】図８にしめすパッケージのブリッジ部材の拡大断面詳細図である。
【図１０】剥離を防止するための部材の別の態様を示す拡大断面詳細図である。
【図１１】剥離を防止するための部材の別の態様を示す拡大断面詳細図である。
【図１２】剥離を防止するための部材の別の態様を示す拡大断面詳細図である。
【図１３】剥離を防止するための部材の別の態様を示す拡大断面詳細図である。
【図１４】剥離を防止するための部材の別の態様を示す拡大断面詳細図である。
【符号の説明】
２    連続的なウェブ
４    開口装置
６    基部要素
８    蓋体要素
１６  基部要素の開口
２０  上部部分
２４  貫通孔
３８  ロール
４４  包装材料シート
【図１】
0003747128.tif 000002
【図２】
0003747128.tif 000003
【図３】
0003747128.tif 000004
【図４】
0003747128.tif 000005
【図５】
0003747128.tif 000006
【図６】
0003747128.tif 000007
【図７】
0003747128.tif 000008
【図８】
0003747128.tif 000009
【図９】
0003747128.tif 000010
【図１０】
0003747128.tif 000011
【図１１】
0003747128.tif 000012
【図１２】
0003747128.tif 000013
【図１３】
0003747128.tif 000014
【図１４】
0003747128.tif 000015